(57)【要約】【課題】下流側からの臭気の逆流を確実に防止することができる上、洗濯排水中に含まれるごみの排出性能を向上させ、前記ごみが内部に堆積したり詰まったりすることを確実に防止して、そのクリーニングやメンテナンスの回数を低減することができる洗濯排水用トラップを提供すること。【解決手段】下向きに延びる外筒部２およびこの外筒部２の下部を内側にかつ上向きに折り返した形状を呈する内筒部３を有するトラップ本体４と、前記内筒部３の上方の開口５を覆うカバー部６およびこのカバー部６の周縁から垂下するほぼ円筒状の垂下壁７を有するトラップワン８とを備え、前記垂下壁７は前記外筒部２と内筒部３との間に挿入されているとともに、この垂下壁７の外周面および／または前記外筒部２の内周面に、下向きに螺旋状に延びる複数のガイドリブ２８が設けられている。【選択図】図１
0003120741.tif 000002
【実用新案登録請求の範囲】
【請求項１】
洗濯排水を流す排水管に接続されて、洗濯排水の一部を貯留し、貯留した洗濯排水によって排水管の下流側から上流側への臭気の逆流を防止する洗濯排水用トラップであって、下向きに延びる外筒部およびこの外筒部の下部を内側にかつ上向きに折り返した形状を呈する内筒部を有するトラップ本体と、前記内筒部の上方の開口を覆うカバー部およびこのカバー部の周縁から垂下するほぼ円筒状の垂下壁を有するトラップワンとを備え、前記垂下壁は前記外筒部と内筒部との間に挿入されているとともに、この垂下壁の外周面および／または前記外筒部の内周面に、下向きに螺旋状に延びる複数のガイドリブが設けられていることを特徴とする洗濯排水用トラップ。
【請求項２】
前記ガイドリブは三つ設けられている請求項１に記載の洗濯排水用トラップ。
【請求項３】
前記外筒部の上方に、洗濯排水を外筒部内へと導く排水ガイドが固定されており、この排水ガイドは、前記外筒部よりも小径の管部と、この管部の下端に設けられ周縁が前記外筒部の上端に当接する外向きフランジとを備え、また、前記トラップワンのカバー部の上面に、前記外向きフランジの下面に当接する位置決めリブが設けられ、トラップワンの内面に前記内筒部に当接するスペーサリブが設けられている請求項１または２に記載の洗濯排水用トラップ。
【請求項４】
前記ガイドリブが前記垂下壁の外周面に設けられ、かつ、前記位置決めリブと一体的に形成されている請求項３に記載の洗濯排水用トラップ。
【請求項５】
前記トラップ本体の外筒部の上端に外向きに連設されたフランジ部を係止する係止部材と、互いに当接する前記フランジ部および前記排水ガイドの外向きフランジを前記係止部材とで挟み込む締付けナットとを備え、前記係止部材は、前記外筒部の前記フランジ部を係止する環状段部と、この環状段部の外側に連設され上向きに延びる雌ねじ部とを有し、前記締付けナットは、前記係止部材の雌ねじ部に螺合し、前記外筒部のフランジ部の上面に当接した前記排水ガイドの外向きフランジの上面にその下端部が当接する雄ねじ部を有しており、また、前記排水ガイドの管部の外面と前記締付けナットの内面との隙間を埋める防塵部材が設けられている請求項３または４に記載の洗濯排水用トラップ。
【考案の詳細な説明】
【技術分野】
【０００１】
本考案は、例えば、洗濯機の洗濯排水ホースが接続される排水管の上流部においてトラップを形成して臭気の逆流を防止する洗濯排水用トラップに関する。
【背景技術】
【０００２】
従来より、排水管を通じて汚水を流出する際に、臭気の逆流を防止するための排水トラップが用いられており、本願出願人は、洗濯排水用トラップの考案に係る出願をこの出願に先立って行っている（実願２０００−３７７７号の願書に添付した明細書および図面参照）。
【０００３】
上記洗濯排水用トラップによれば、既存の排水管を有効に活用することができるだけでなく、水量が増加しても洗濯機の排水を水密を保った状態で確実に行うことができると共に、下流側からの臭気の逆流を確実に防止することができるという効果が得られる。
【考案の開示】
【考案が解決しようとする課題】
【０００４】
しかし、前記洗濯排水には綿くずや糸くず、髪の毛等が浮遊しており、これらのごみが前記洗濯排水用トラップの一部に堆積したり詰まったりする懸念がある。そして、前記ごみの詰まりが生じ、前記洗濯機からの排水が行われなくなると、その洗濯機による洗濯に支障を来し、例えば前記洗濯機が全自動洗濯機であれば、次の工程に移れなくなってしまう。従って、上記のようにごみが洗濯排水用トラップの一部に堆積したり詰まったりする場合には、前記ごみを取り除くためのクリーニングやメンテナンスを頻繁に行わなければならなくなるという問題が生じる。
【０００５】
この考案は上述の事柄に留意してなされたもので、その目的は、下流側からの臭気の逆流を確実に防止することができる上、洗濯排水中に含まれるごみの排出性能を向上させ、前記ごみが内部に堆積したり詰まったりすることを確実に防止して、そのクリーニングやメンテナンスの回数を低減することができる洗濯排水用トラップを提供することである。
【課題を解決するための手段】
【０００６】
上記目的を達成するために、本考案の洗濯排水用トラップは、洗濯排水を流す排水管に接続されて、洗濯排水の一部を貯留し、貯留した洗濯排水によって排水管の下流側から上流側への臭気の逆流を防止する洗濯排水用トラップであって、下向きに延びる外筒部およびこの外筒部の下部を内側にかつ上向きに折り返した形状を呈する内筒部を有するトラップ本体と、前記内筒部の上方の開口を覆うカバー部およびこのカバー部の周縁から垂下するほぼ円筒状の垂下壁を有するトラップワンとを備え、前記垂下壁は前記外筒部と内筒部との間に挿入されているとともに、この垂下壁の外周面および／または前記外筒部の内周面に、下向きに螺旋状に延びる複数のガイドリブが設けられていることを特徴としている（請求項１）。
【０００７】
上記洗濯排水用トラップにおいて、前記ガイドリブは三つ設けられていることが好ましい（請求項２）。
【０００８】
また、上記洗濯排水用トラップにおいて、前記外筒部の上方に、洗濯排水を外筒部内へと導く排水ガイドが固定されており、この排水ガイドは、前記外筒部よりも小径の管部と、この管部の下端に設けられ周縁が前記外筒部の上端に当接する外向きフランジとを備え、また、前記トラップワンのカバー部の上面に、前記外向きフランジの下面に当接する位置決めリブが設けられ、トラップワンの内面に前記内筒部に当接するスペーサリブが設けられていてもよい（請求項３）。
【０００９】
さらに、上記洗濯排水用トラップにおいて、前記ガイドリブが前記垂下壁の外周面に設けられ、かつ、前記位置決めリブと一体的に形成されていてもよい（請求項４）。
【００１０】
また、前記洗濯排水用トラップが、前記トラップ本体の外筒部の上端に外向きに連設されたフランジ部を係止する係止部材と、互いに当接する前記フランジ部および前記排水ガイドの外向きフランジを前記係止部材とで挟み込む締付けナットとを備え、前記係止部材は、前記外筒部の前記フランジ部を係止する環状段部と、この環状段部の外側に連設され上向きに延びる雌ねじ部とを有し、前記締付けナットは、前記係止部材の雌ねじ部に螺合し、前記外筒部のフランジ部の上面に当接した前記排水ガイドの外向きフランジの上面にその下端部が当接する雄ねじ部を有しており、また、前記排水ガイドの管部の外面と前記締付けナットの内面との隙間を埋める防塵部材が設けられていてもよい（請求項５）。
【考案の効果】
【００１１】
請求項１に係る本考案では、トラップ本体の外筒部と内筒部との間の空間に貯留した洗濯排水によって、下流側からの臭気の逆流を確実に防止することができる。また、前記ガイドリブを設けたことによって、このガイドリブに沿って流れる洗濯排水を渦状にすることができ、この渦状の流れにより、洗濯排水中に含まれるごみの排出性能が向上する。従って、前記ごみが内部に堆積したり詰まったりすることを確実に防止して、そのクリーニングやメンテナンスの回数を低減することができる。
【００１２】
請求項２に係る考案では、上記効果のうち、洗濯排水を渦状にするという効果を最も良好に高めることができる。すなわち、ガイドリブを二つのみ設ける場合には、この二つのガイドリブをどのように配置しても、二つのガイドリブに沿って流れる洗濯排水の流れのバランスが悪くなり、また、ガイドリブを四つ以上設ける場合には、ガイドリブ自体に洗濯排水中のごみが堆積したり詰まり易くなるという問題が新たに生じることとなる。
【００１３】
請求項３に係る考案では、上記効果に加えて、前記位置決めリブとスペーサリブとによって、前記トラップワンの設置を簡単に行うことができるという効果が得られる。
【００１４】
請求項４に係る考案では、上記効果に加えて、洗濯排水の流れを渦状にするという機能をガイドリブだけではなく位置決めリブにも持たせることができ、ごみの排出性能がより向上するという効果が得られる。
【００１５】
請求項５に係る考案では、上記効果に加えて、前記防塵部材によって、排水ガイドの外向きフランジの上方の空間に埃や塵などが溜まることを確実に防止することができるという効果が得られる。
【考案を実施するための最良の形態】
【００１６】
図１は、本考案の一実施の形態に係る洗濯排水用トラップの構成を概略的に示す縦断面図、図２は、前記洗濯排水用トラップの構成を概略的に示す部分切断斜視図である。
【００１７】
この実施形態の洗濯排水用トラップは、図１に示すように、洗濯排水を流す排水管１に接続されて、洗濯排水の一部を貯留し、貯留した洗濯排水によって排水管１の下流側から上流側への臭気の逆流を防止するように構成されている。
【００１８】
詳しく説明すると、前記洗濯排水用トラップは、図１および図２に示すように、下向きに延びるほぼ円筒状の外筒部２およびこの外筒部２の下部を内側にかつ上向きに折り返した形状を呈する内筒部３を有するトラップ本体４と、前記内筒部３の上方の開口５を非接触状態で覆うカバー部６およびこのカバー部６の周縁から垂下する円筒状の垂下壁７を有するトラップワン８とを備えており、前記垂下壁７は、前記外筒部２と内筒部３との間に非接触状態で挿入されている。
【００１９】
また、図１に示すように、前記外筒部２の上方には、洗濯機（図示していない）側から排水ホースＨを経て送られてきた洗濯排水を外筒部２内へと導く排水ガイド（この実施形態ではエルボ）９が固定されている。この排水ガイド９は、前記外筒部２よりも小径で上下方向に延びる管部１０と、この管部１０の下端に設けられ周縁が前記外筒部２の上端に当接する外向きフランジ１１と、前記管部１０の上部に連設され水平方向に延びる管状の接続部１２とを備えている。
【００２０】
そして、前記接続部１２に前記排水ホースＨが接続される。この接続は、例えば、図１に示すように、排水ホースＨの内側に挿入されるほぼ円筒状の補強用インナー部材１３と、前記接続部１２において前記排水ホースＨが挿入された部位の外側に巻かれるバンド部材１４とを用いて行われる。すなわち、前記補強用インナー部材１３による補強と前記バンド部材１４による締め付けとによって、排水ホースＨと接続部１２とを水密を保った状態で接続し、接続部１２と排水ホースＨの接続部分から洗濯排水が漏れることの確実な防止を図っている。そのため、前記接続部１２（排水ガイド９）は適宜の弾性を有すると共に、前記補強用インナー部材１３は適宜の剛性を有し、前記バンド部材１４は接続部１２の締め付けとその解除が自在に行える構成となっている。
【００２１】
一方、前記トラップワン８のカバー部６の上面には、前記外向きフランジ１１の下面に当接する複数（この実施形態では三つ）の位置決めリブ１５が設けられており、トラップワン８の内面には、前記内筒部３に当接する複数（この実施形態では三つ）のスペーサリブ１６が設けられている。そして、この実施形態では、前記位置決めリブ１５とスペーサリブ１６とはカバー部６の内外で同一位相となる位置に設けられており、これにより、位置決めリブ１５とスペーサリブ１６とが互いに補強し合うことになる。
【００２２】
また、前記外筒部２の上端には外向きに延びるフランジ部１７が連設されており、このフランジ部１７は、床板１８に固定される係止部材１９によって係止・保持される。この係止部材１９は、前記外筒部２の前記フランジ部１７を係止する環状段部２０と、この環状段部２０の外側に連設され上向きに延びる雌ねじ部２１と、この雌ねじ部２１の外側に延びる取付フランジ２２とを有している。また、この取付フランジ２２の適宜の位置には貫通孔２３が設けられており、各貫通孔２３を挿通する取付用部材（例えばねじ）２４によって、係止部材１９は床板１８に取り付けられる。
【００２３】
そして、前記係止部材１９の環状段部２０に係止された外筒部２のフランジ部１７の上面には、排水ガイド９の外向きフランジ１１が載置され、このように互いに当接するフランジ部１７および外向きフランジ１１は、前記係止部材１９と締付けナット２５とで挟み込まれる。
【００２４】
前記締付けナット２５は、前記係止部材１９の雌ねじ部２１に螺合し、前記外筒部２のフランジ部１７の上面に当接した前記排水ガイド９の外向きフランジ１１の上面にその下端部が当接する雄ねじ部２６を有するリング状の部材である。
【００２５】
ここで、前記外筒部２のフランジ部１７の上面には、図１および図２に示すように、環状突起２７が形成されており、前記締付けナット２５を締付けたときに、この環状突起２７が適宜の弾性を有する排水ガイド９の外向きフランジ１１に食い込むように構成されている。これにより、フランジ部１７と外向きフランジ１１との間の水密性も非常に高くなり、この間から洗濯排水が漏れることが確実に防止される。
【００２６】
そして、本実施形態の洗濯排水用トラップは、以下の構成に特徴を有している。以下、この特徴について、図３をも参照しながら説明する。なお、図３（Ａ）および（Ｂ）は、前記トラップワン８の構成を概略的に示す平面図および正面図である。
【００２７】
すなわち、まず、図１〜図３に示すように、前記トラップワン８の垂下壁７の外周面には、下向きに螺旋状に延びる複数（この実施形態では三つ）のガイドリブ２８が設けられており、各ガイドリブ２８と前記位置決めリブ１５とは一体的に形成されている。ここで、前記ガイドリブ２８と外筒部２の内周面との間の隙間は無くすあるいはなるべく小さくすることが理想的であり、本実施形態では、前記隙間の大きさは０．１ｍｍ〜０．５ｍｍ程度となっている。
【００２８】
また、図１に示すように、前記排水ガイド９の管部１０の外面と前記締付けナット２５の内面（内周面）との隙間を埋める防塵部材としての防塵フランジ２９、３０が、管部１０の外面と締付けナット２５の内面とにそれぞれ設けられている。そして、排水ガイド９の管部１０の外面に設けられた防塵フランジ２９は適宜の弾性を有しており、締付けナット２５に設けられた防塵フランジ３０に密接するように構成されている。
【００２９】
さらに、前記バンド部材１４は、合成樹脂製（例えばナイロン樹脂製）であり、金属製としたときのように錆びることがない。
【００３０】
上記の構成からなる洗濯排水用トラップの設置は、以下のようにして行われる。すなわち、まず、図１および図２に示すように、床板１８に設けられた開口３１に排水管１の上端が臨んでおり、この排水管１の上端に前記係止部材１９を接続し、図１に示すように、前記取付用部材２４によってこの係止部材１９を床板１８に固定する。
【００３１】
そして、図１および図２に示すように、トラップ本体４を排水管１内に挿入し、トラップ本体４の外筒部２のフランジ部１７を係止部材１９の環状段部２０に係止させることにより、トラップ本体４を排水管１に接続する。
【００３２】
その後、図１および図２に示すように、トラップワン８をトラップ本体４内に収容し、トラップワン８の垂下壁７がトラップ本体４の外筒部２と内筒部３との間に挿入された状態とする。
【００３３】
続いて、図１に示すように、予め締付けナット２５を挿通した状態とされた排水ガイド９の外向きフランジ１１を、前記トラップ本体４の外筒部２のフランジ部１７の上面に載置した状態とする。ここで、排水ガイド９に締付けナット２５を挿通させた状態とする作業は、前記排水ガイド９が適宜の弾性を有する合成樹脂等の材料から形成されているので、容易に行うことができる。
【００３４】
そして、図１に示すように、締付けナット２５の雄ねじ部２６を係止部材１９の雌ねじ部２１に螺着し、締め付けることにより、トラップ本体４に対して排水ガイド９が取り付けられた状態となる。
【００３５】
最後に、前記排水ガイド９の接続部１２に排水ホースＨを接続すればよく、この接続は、補強用インナー部材１３を排水ホースＨの先端部に挿入し、この状態の排水ホースＨを接続部１２内に挿入した後、接続部１２の外側からバンド部材１４を巻き、これを締め付けることによって行うことができる。そして、これにより、洗濯排水用トラップの設置が完了する。
【００３６】
ここで、前記排水ガイド９の接続部１２に対する排水ホースＨの接続は、締付けナット２５によって排水ガイド９をトラップ本体４に取り付ける前後のいずれにおいて行ってもよい。
【００３７】
上記のように設置が完了した状態では、締付けナット２５により固定された排水ガイド９の外向きフランジ１１の下面に当接する位置決めリブ１５と、トラップ本体４の内筒部３の上端に当接するスペーサリブ１６とによって、トラップワン８は図１および図２に示す所定の姿勢をとることになり、この姿勢は良好に維持されることになる。
【００３８】
そして、本実施形態の洗濯排水用トラップでは、その設置を上記のように簡単に行うことができる。また、排水管１および床板１８に係止部材１９を取り付けてあり、その他の部材がこの係止部材１９に着脱自在となるように構成してあるので、トラップ本体４やトラップワン８等のクリーニング・メンテナンスは、排水管１および床板１８に固定された係止部材１９から取り外すことにより、容易に行うことができる。
【００３９】
さらに、本実施形態の洗濯排水用トラップは、前記床板１８の上面から洗濯排水用トラップの下端（トラップ本体４の下端）までの距離が８０ｍｍ程度と短くなっていることから、床下の空間が狭い場合（例えば床下の空間の上下の幅が１５０ｍｍ程度である場合）でも確実に設置することができる。
【００４０】
次に、上記のように設置された状態の前記洗濯排水用トラップの作動について説明する。上記洗濯排水用トラップでは、例えば洗濯機から排出され排水ホースＨを経た洗濯排水が排水ガイド９内に到達すると、この洗濯排水は、排水ガイド９の管部１０からトラップ本体４の外筒部２内へと導入される。続いて、外筒部２内に導入された洗濯排水は、トラップワン８のカバー部６に当たり、トラップワン８の垂下壁７と外筒部２との間の第一環状流路３２内を流れ落ち、外筒部２と内筒部３との間の環状空間３３内に溜まる。
【００４１】
ここで、前記カバー部６は、図１〜図３に示すような傾斜を有しているので、前記洗濯排水がカバー部６の上に溜まることはない。なお、前記環状空間３３には、前記第一環状流路３２と、この第一環状流路３２に連通しこの下方に位置する第二環状流路３４と、この第二環状流路３４に連通し、トラップワン８の垂下壁７と内筒部３との間に形成された第三環状流路３５とが含まれる。
【００４２】
そして、外筒部２と内筒部３との間の環状の空間３３内に溜まった洗濯排水の水位が内筒部３の上端の開口５の高さにまで至ると、図２に示すように、前記第二環状流路３４および第三環状流路３５を経た洗濯排水がこの開口５内に流れ込み、内筒部３の内側を経てさらに下流側へと流れることになる。
【００４３】
一方、洗濯機からの排水が停止すると、前記環状空間３３内に洗濯排水が幾らか貯留された状態となり、この貯留された洗濯排水によって、洗濯排水用トラップの下流側からの臭気が内筒部３の開口５を経てさらに逆流することを確実に防止することができる。
【００４４】
また、前記外筒部２と内筒部３との間に垂下壁７が挿入された状態となっており、このような構造上、洗濯排水に含まれる綿くずや糸くず等のごみが特に前記環状空間３３内において堆積したり詰まったりしやすくなるという懸念がある。しかし、本実施形態では、前記垂下壁７の外周面にガイドリブ２８が設けられており、ガイドリブ２８に沿って前記第一環状流路３２を流れ落ちる洗濯排水が渦状になるので、上記のごみはこの渦状の流れに巻き込まれて洗濯排水とともに下流側へと確実に送られることになり、前記堆積等が極めて生じにくくなっている。
【００４５】
なお、上記実施の形態では、前記位置決めリブ１５、スペーサリブ１６およびガイドリブ２８がそれぞれ三つずつ設けられているが、このような構成に限らず、二つあるいは四つ以上設けられていてもよい。
【００４６】
また、上記実施の形態では、ガイドリブ２８がトラップワン８の垂下壁７の外周面に設けられていたが、このような構成に限らず、図４（Ａ）および（Ｂ）に示すように、下向きに螺旋状に延びる複数のガイドリブ２８が前記トラップ本体４の外筒部２の内周面に設けられていてもよい。この場合、ガイドリブ２８の数は、三つとすることが最も望ましいが、二つあるいは四つとしてもよく、五つ以上としてもよい。また、この場合のガイドリブ２８は、例えば、ガイドリブ２８を前記トラップワン８の垂下壁７の外周面に設けたとき（図１〜図３参照）とほぼ同じ高さに設けられていてもよいし、さらに、図４（Ｂ）において仮想線で示すように、下端がトラップ本体４の底部まで延びていてもよい。
【００４７】
さらに、前記ガイドリブ２８が、トラップワン８の垂下壁７の外周面およびトラップ本体４の外筒部２の内周面の両方に設けられていてもよい。
【図面の簡単な説明】
【００４８】
【図１】本考案の一実施の形態に係る洗濯排水用トラップの構成を概略的に示す縦断面図である。
【図２】前記洗濯排水用トラップの構成を概略的に示す部分切断斜視図である。
【図３】（Ａ）および（Ｂ）は、上記実施の形態における要部の構成を概略的に示す平面図および正面図である。
【図４】（Ａ）は、上記実施の形態における要部の変形例の構成を概略的に示す平面図、（Ｂ）は（Ａ）におけるＸ−Ｘ線断面図である。
【符号の説明】
【００４９】
１  排水管
２  外筒部
３  内筒部
４  トラップ本体
５  開口
６  カバー部
７  垂下壁
２８  ガイドリブ
【図１】
0003120741.tif 000003
【図２】
0003120741.tif 000004
【図３】
0003120741.tif 000005
【図４】
0003120741.tif 000006